【手続補正書】
【提出日】平成24年1月18日(2012.1.18)
【手続補正１】
【補正対象書類名】特許請求の範囲
【補正対象項目名】全文
【補正方法】変更
【補正の内容】
【特許請求の範囲】
【請求項１】
陽極と陰極との間に、発光層を含む有機層を備え、
前記陽極は、
アルミニウム（Ａｌ）またはアルミニウムを主成分とする合金からなる第１の層と、
前記第１の層と前記有機層との間に設けられ、アルミニウムを主成分とする合金からなる第２の層と
を含む積層構造を有し、
前記第１の層の抵抗率が、前記第２の層の抵抗率よりも低くなっている
有機電界発光素子。
【請求項２】
前記陽極は、前記第１の層と前記第２の層との間に、保護層を有する
請求項１に記載の有機電界発光素子。
【請求項３】
前記保護層は、モリブデン（Ｍｏ）、チタン（Ｔｉ）、クロム（Ｃｒ）、ニッケル（Ｎｉ）またはこれらを主成分とする合金により構成されている
請求項２に記載の有機電界発光素子。
【請求項４】
前記第２の層では、前記第１の層と比べ、熱安定性および耐ヒロック性がいずれも高くなっている
請求項１ないし請求項３のいずれか１項に記載の有機電界発光素子。
【請求項５】
前記第２の層の合金の副成分は、その合金の主成分よりも相対的に仕事関数が小さい元素を少なくとも１つ含んでいる
請求項１ないし請求項４のいずれか１項に記載の有機電界発光素子。
【請求項６】
前記第２の層の合金の副成分は、ネオジウム（Ｎｄ）、タンタル（Ｔａ）、チタン（Ｔｉ）、ニッケル（Ｎｉ）、タングステン（Ｗ）およびシリコン（Ｓｉ）のうちの少なくとも１つの元素を含んでいる
請求項５に記載の有機電界発光素子。
【請求項７】
前記陽極、前記有機層および前記陰極の順に上層へ向けて積層されており、
前記陰極が、前記発光層から発せられた光に対して透過性を有する材料により構成されている
請求項１ないし請求項６のいずれか１項に記載の有機電界発光素子。
【請求項８】
前記有機層のうちの前記陽極と接する層が、以下の式（１）で表される化合物を含んで構成されている
請求項１ないし請求項７のいずれか１項に記載の有機電界発光素子。
【化１】
2010192413.tif 000001
（ただし、式（１）中において、Ｒ１〜Ｒ６はそれぞれ独立に、水素、ハロゲン、ヒドロキシル基、アミノ基、アリールアミノ基、炭素数２０以下の置換あるいは無置換のカルボニル基、炭素数２０以下の置換あるいは無置換のカルボニルエステル基、炭素数２０以下の置換あるいは無置換のアルキル基、炭素数２０以下の置換あるいは無置換のアルケニル基、炭素数２０以下の置換あるいは無置換のアルコキシル基、炭素数３０以下の置換あるいは無置換のアリール基、炭素数３０以下の置換あるいは無置換の複素環基、シアノ基、ニトロ基、イソシアノ基、またはシリル基から選ばれる置換基であり、隣接するＲｍ（ｍ＝１〜６）は環状構造を通じて互いに結合してもよい。また、Ｘ１〜Ｘ６はそれぞれ独立に炭素もしくは窒素原子である。）
【請求項９】
陽極と陰極との間に発光層を含む有機層を有する有機電界発光素子を備え、
前記陽極は、
アルミニウム（Ａｌ）またはアルミニウムを主成分とする合金からなる第１の層と、
前記第１の層と前記有機層との間に設けられ、アルミニウムを主成分とする合金からなる第２の層と
を含む積層構造を有し、
前記第１の層の抵抗率が、前記第２の層の抵抗率よりも低くなっている
表示装置。
【手続補正２】
【補正対象書類名】明細書
【補正対象項目名】０００５
【補正方法】変更
【補正の内容】
【０００５】
そこで、この有機電界発光素子１０１においては、駆動基板１０２側に設けられる陽極１０３が反射電極として用いられ、陰極１０５が透明あるいは半透明電極として用いられている。そして、陰極１０５側から発光光を効率的に取り出すためには、反射率の高い材料で陽極１０３を構成する必要がある。
【手続補正３】
【補正対象書類名】明細書
【補正対象項目名】０００７
【補正方法】変更
【補正の内容】
【０００７】
ここで、アルミニウム（Ａｌ）合金を陽極として用いた場合には、耐熱性や耐ヒロック性を補うために、Ａｌ以外の例えば希土類元素（Ｎｄ）や、高融点金属等を含有する材料が採用可能である。このような高融点金属としては、例えば、タンタル（Ｔａ）、チタン（Ｔｉ）、ニッケル（Ｎｉ）、タングステン（Ｗ）、シリコン（Ｓｉ）等が挙げられる。この中でも、より好適には、ＡｌとＮｄとを含有するＡｌＮｄ系合金や、ＡｌＴａ系合金、ＡｌＮｉ系合金（例えばＡｌＣＮｉ合金）またはＡｌＳｉ系合金を採用することができる。
【手続補正４】
【補正対象書類名】明細書
【補正対象項目名】００１７
【補正方法】変更
【補正の内容】
【００１７】
【図１】本発明の一実施の形態に係る有機電界発光素子の構成を表す断面図である。
【図２】実施の形態の変形例に係る有機電界発光素子の構成を表す断面図である。
【図３】図１に示した有機電界発光素子を備えた表示装置の構成例を表す断面図である。
【図４】保護層に対する電喰対策について説明するための断面模式図である。
【図５】本発明の実施例および比較例に係る有機電界発光素子における特性結果を表す図である。
【図６】本発明の実施例および比較例に係る有機電界発光素子における駆動時間と相対輝度との関係を表す特性図である。
【図７】図６の一部を拡大して表す特性図である。
【図８】実施の形態の表示装置を含むモジュールの概略構成を表す平面図である。
【図９】図８に示したモジュールにおける表示装置の駆動回路の構成を表す平面図である。
【図１０】図９に示した画素駆動回路の一例を表す等価回路図である。
【図１１】実施の形態の表示装置の適用例１の外観を表す斜視図である。
【図１２】実施の形態の表示装置の適用例２の外観を表す斜視図である。
【図１３】実施の形態の表示装置の適用例３の外観を表す斜視図である。
【図１４】実施の形態の表示装置の適用例４の外観を表す斜視図である。
【図１５】実施の形態の表示装置の適用例５の外観を表す斜視図である。
【図１６】従来の有機電界発光素子の構成を説明するための断面図である。
【手続補正５】
【補正対象書類名】明細書
【補正対象項目名】００１９
【補正方法】変更
【補正の内容】
【００１９】
＜１．実施の形態＞
［有機電界発光素子の構成例（上面発光型の例）］
図１は、本発明の一実施の形態に係る有機電界発光素子（有機電界発光素子４）の断面構成を表すものである。この有機電界発光素子（有機ＥＬ素子）４は、例えばカラーディスプレイなどの表示装置に用いられるものであり、例えば、基板４０上に、陽極４１と、発光層５３を含む有機層５０と、陰極６１とをこの順で備えている。ここでは、発光層５３から発せられる光（以下、発光光という）が陰極６１側から取り出される上面発光型（トップエミッション型）の有機電界発光素子の場合について説明する。
【手続補正６】
【補正対象書類名】明細書
【補正対象項目名】００２２
【補正方法】変更
【補正の内容】
【００２２】
第１陽極層４１Ａは、アルミニウム（Ａｌ）またはアルミニウムを主成分とする合金により構成されており、特にアルミニウムにより構成されているのが好ましい。この第１陽極層４１Ａの抵抗率は、以下の第２陽極層４１Ｃの抵抗率よりも低くなっている。
【手続補正７】
【補正対象書類名】明細書
【補正対象項目名】００２５
【補正方法】変更
【補正の内容】
【００２５】
なお、例えば図２に示した有機電界発光素子５における陽極４１−１のように、この保護層４１Ｂは必ずしも設けられていなくてもよい。すなわち、この陽極４１−１は、基板４０側から順に、第１陽極層４１Ａおよび第２陽極層４１Ｃを積層した二層構造を有している。
【手続補正８】
【補正対象書類名】明細書
【補正対象項目名】００２６
【補正方法】変更
【補正の内容】
【００２６】
（有機層５０）
有機層５０は、陽極４１側から順に、正孔注入層５１、正孔輸送層５２、発光層５３および電子輸送層５４を積層した積層構造を有している。
【手続補正９】
【補正対象書類名】明細書
【補正対象項目名】００２９
【補正方法】変更
【補正の内容】
【００２９】
正孔輸送層５２は、正孔注入効率を高めるためのものであり、例えば４，４’−ビス（Ｎ−１−ナフチル−Ｎ−フェニルアミノ）ビフェニル（α−ＮＰＤ）により構成されている。
【手続補正１０】
【補正対象書類名】明細書
【補正対象項目名】００３３
【補正方法】変更
【補正の内容】
【００３３】
（陰極６１）
陰極６１は、発光層５３に電界を印加する一方の電極であり、光透過性の材料（発光層５３からの発光光に対して透過性を有する材料）により構成されている。これにより、発光層５３からの発光光および陽極４１表面において反射した発光光が、陰極６１から外側へ取り出されることとなる。この陰極６１は、発光層５３側に仕事関数が小さい材料を用いた層が形成されており、発光層５３側から順に、第１陰極層６１Ａおよび第２陰極層６１Ｂが積層されている。
【手続補正１１】
【補正対象書類名】明細書
【補正対象項目名】００４２
【補正方法】変更
【補正の内容】
【００４２】
この表示装置１は、薄型の有機ＥＬディスプレイとして好適に用いられ、マトリクス状に配設された複数の画素を個別に駆動して表示を行うアクティブマトリクス方式の表示装置である。この表示装置１では、例えばガラスなどよりなる駆動側基板１０上に、Ｒ（Red：赤），Ｇ（Green：緑），Ｂ（Blue：青）の各画素を構成する上記有機電界発光素子４（有機ＥＬ素子１０）が、順に全体としてマトリクス状に設けられている。すなわち、Ｒ画素としての有機電界発光素子４Ｒ（有機ＥＬ素子１０Ｒ）、Ｇ画素としての有機電界発光素子４Ｇ（有機ＥＬ素子１０Ｇ）、およびＢ画素としての有機電界発光素子４Ｂ（有機ＥＬ素子１０Ｂ）が、順に全体としてマトリクス状に設けられている。この駆動側基板１０上にはまた、上記有機ＥＬ素子１０Ｒ，１０Ｇ，１０Ｂのそれぞれを駆動するためのＴＦＴ１１を含む画素駆動回路（詳細は後述）と、平坦化層１２とが形成されている。この平坦化層１２上に、上記有機ＥＬ素子１０Ｒ，１０Ｇ，１０Ｂが設けられている。駆動側基板１０上の有機ＥＬ素子１０Ｒ，１０Ｇ，１０Ｂは、保護膜３０および接着層３１を介して封止側基板２０によって封止されている。
【手続補正１２】
【補正対象書類名】明細書
【補正対象項目名】００４５
【補正方法】変更
【補正の内容】
【００４５】
有機ＥＬ素子１０Ｒ，１０Ｇ，１０Ｂでは、例えば、平坦化層１２上に、第１電極１３（陽極４１）と補助配線１４とが配設され、これらの上に、画素間絶縁膜１５、前述の発光層５３を含む有機層１６（５０）および第２電極１８（陰極６１）が、この順に積層されている。これらのうち有機層１６および第２電極１８は、各画素に共通の層として、全画素にわたって設けられている。
【手続補正１３】
【補正対象書類名】明細書
【補正対象項目名】００６２
【補正方法】変更
【補正の内容】
【００６２】
ここで、実施例１では、ランタノイド系元素であるネオジム（Ｎｄ）を含むアルミニウム合金層を用いた二層構造の陽極４１−１を形成した。具体的には、図５に示すように、第１陽極層４１Ａ（下層）であるＡｌ層（膜厚：１５０ｎｍ）と、第２陽極層４１Ｃ（上層）であるＡｌ−Ｎｄ層（膜厚：１００ｎｍ）とより形成した。
【手続補正１４】
【補正対象書類名】明細書
【補正対象項目名】００６４
【補正方法】変更
【補正の内容】
【００６４】
また、実施例４では、ランタノイド系元素であるネオジム（Ｎｄ）を含むアルミニウム合金層を用いた三層構造の陽極４１を形成した。具体的には、図５に示すように、第１陽極層４１Ａ（下層）であるＡｌ層（膜厚：１５０ｎｍ）と、第２陽極層４１Ｃ（上層）であるＡｌ−Ｎｄ層（膜厚：８０ｎｍ）との間に、保護層４１Ｂ（中間層）であるモリブデン（Ｍｏ）を挿入して形成した。この保護層４１Ｂの膜厚は、５０ｎｍとした。
【手続補正１５】
【補正対象書類名】明細書
【補正対象項目名】００７６
【補正方法】変更
【補正の内容】
【００７６】
（評価結果３）
実施例１〜４および比較例１，２の陽極におけるシート抵抗を、四端子法により測定し、測定結果を図５中の「シート抵抗」の欄に示した。実施例１〜４における全ての積層構造において、シート抵抗が０．２Ω／□以下であった。これにより、陽極を積層構造にすることによって、Ａｌ合金５００ｎｍ（比較例２）よりも膜厚が薄いにも関わらず、同等の低抵抗が得られることが確認された。